(57)【要約】      （修正有）【課題】木材や金属のシェルで作成したドラムに比較して軽量のドラムを提供するとともに、複数のドラムからなるドラムセットでも分解して折り畳むことが可能な軽量ドラムセットを提供する。【解決手段】プラスチック段ボールを円筒状に加工して配置したシェル２の少なくとも一方の開口に打面を構成するドラムヘッド３を取り付ける。そしてテンションボルト５とラグ６からなるテンション付与装置により、ドラムヘッドをシェルに押圧する際に、シェルが損傷しないように、補強リング７を用いる。補強リングとシェルの結合は間にエ型ジョイナー８（８ａ、８ｂ）などの結合手段を介在させることによってなされる。なお、シェル、ドラムヘッド、補強リングは、分解して個別に収納可能とし、ドラムセット全体を人手で持ち運びできるようにする。【選択図】図４
2018017842.tif 000002
【特許請求の範囲】
【請求項１】
木材又は金属に比べて軽量なプラスチック段ボールを円筒状に加工配置したシェルと、
前記シェルの少なくとも一方の開口に取り付けられて打面を構成するドラムヘッドと、
前記ドラムヘッドを前記シェルに押圧するために用いられる、テンションボルトとラグからなるテンション付与装置と、
前記テンション付与装置により、前記ドラムヘッドを前記シェルに押圧する際に、前記シェルが損傷しないように、前記シェルの円周に沿ってほぼ均一に強度を与える補強リングと、
前記補強リングと前記シェルを接続するために、前記補強リングと前記シェルの間に介在させる結合手段と、を備え、
前記シェル、前記ドラムヘッド、前記補強リングは、分解して個別に収納可能とすることを特徴とする  
折り畳み可能軽量ドラム。
【請求項２】
更に、前記結合手段は、エ型ジョイナーである、請求項１に記載の折り畳み可能軽量ドラム。
【請求項３】
バスドラム、フロアタム、スネアドラム、トムトム、シンバルを含む折り畳み可能軽量ドラムセットであって、
前記ドラムセットを構成する複数ドラムのうちの各ドラムは、
木材又は金属に比べて軽量なプラスチック段ボールを円筒状に加工配置したシェルと、
前記シェルの少なくとも一方の開口に取り付けられて打面を構成するドラムヘッドと、
前記ドラムヘッドを前記シェルに押圧するために、テンションボルトとラグからなるテンション付与装置と、
前記テンション付与装置により、前記ドラムヘッドを前記シェルに押圧する際の前記シェルの損傷を防ぐために、前記シェルの円周に沿ってほぼ均一に強度を与える補強リングと、
前記補強リングと前記シェルを接続するために、前記補強リングと前記シェルの間に介在させる結合手段と、を備え、
前記複数のドラムの各ドラムの構成要素である、前記シェル、前記ドラムヘッド、前記補強リングは、分解して構成要素ごとに、個別に収納され、人手で運搬できるようにした
折り畳み可能軽量ドラムセット。
【発明の詳細な説明】
【技術分野】
【０００１】
本発明は、軽くて持ち運びができる折り畳み可能軽量ドラム及び折り畳み可能軽量ドラムセットに関する。
【背景技術】
【０００２】
ジャズやポップス等の音楽の演奏には、異なる大きさの複数のドラムを組み合わせたセットが不可欠である。これらの複数のドラムは、一般的にドラムセットと言われ、その構成は、バスドラム、フロアタム、スネアドラム、トムトムと言われる複数のドラムと、ドラム以外のシンバル等が含まれる。
【０００３】
バスドラムは、ベースドラムともいわれ、ペダルを踏んで演奏される大太鼓に当たる大きなドラムである。フロアタムは、一般に演奏者の右側の床に直接配置される中型のドラムであり、スネアドラムは、サイドドラムとも呼ばれる演奏者の目の前の膝の高さ付近に設置されるドラムである。またトムトムは、一般的には「タム」と呼ばれ、通常バスドラムの上に配置されて用いられるドラムである。
【０００４】
このように、ドラムセットは大きさの異なる複数のドラムを含み、非常に嵩張ることから、ギターなどの他の楽器と比べると、人間がこれらのドラムセットを人力で持ち運びすることは、容易ではない。
また、一個のドラムをとっても、ドラムの円筒部分を構成する部材であるシェルは、スネアドラム以外には、木材が用いられ、スネアドラムには木材の他にも金属製のものが用いられる。いずれのドラムも、そのシェルは金属や木材で形成されており、その材質の重さが軽量化の障害になっていた。また、木材や金属以外にもアクリルやカーボン製のシェルが用いられることもある。
【０００５】
従来、ドラム自体を軽量化することに関連して、いくつかの提案がなされている（例えば、特許文献１、２参照）。すなわち、特許文献１には、ドラムのシェルを固定する複数の固定具を設け、この複数の固定具に張力を分散させてヘッドを緊張させ、リングを不要として軽量化を図る技術が記載されている。
また、特許文献２には、サスペンションリングの内側に、シェルを嵌挿し、両者の接触面で接着、熱融着して強固に一体化する技術が記載されており、その結果、サスペンションリングの肉厚を小さくして軽量化を図るものが示されている。
【先行技術文献】
【特許文献】
【０００６】
【特許文献１】特開２０１０−２８６５９８号公報
【特許文献２】特開平６−１２０５９号公報
【発明の概要】
【発明が解決しようとする課題】
【０００７】
しかしながら、上述のように、従来のドラムのシェルの素材は、木材、アクリルまたは金属がほとんどである。これらの素材は、円筒形状に加工することが難しいという問題があり、またドラム自体が円筒形状で固定されているため、特にドラムセットとして複数のドラムを持ち運ぶには、非常に嵩張るという問題があった。しかも、アクリル、木材または金属を用いたシェルは、その重量も重くなることも問題であった。
【０００８】
発明者は、ドラムのシェルの素材として、木材や金属に変わる軽量のものはないかを探索した結果、プラスチック段ボール（以下、「プラダン」という）に着目した。プラダンは、通常、ポリプロピレン樹脂を原料として、中空構造（リブを有する構造）に形成されるため、軽く、水や熱にも強いという特徴がある。また、リブ方向には強度が確保されるのに対し、リブ方向と直交する方向に対しては、極めて曲げやすいという特徴もある。
【０００９】
本発明は、上記問題点に鑑み、ドラムのシェルとしてプラダンを利用することにより、木材や金属に比較して軽量のドラムを提供するとともに、複数のドラムからなるドラムセットでも分解して折り畳むことが可能な軽量ドラムセットを提供することを目的とする。
【課題を解決するための手段】
【００１０】
上記課題を解決するため、本発明の折り畳み可能軽量ドラムは、木材または金属と比較して軽量なプラスチック段ボールを円筒状に加工配置したシェルと、このシェルの少なくとも一方の開口に取り付けられて打面を構成するドラムヘッドと、ドラムヘッドをシェルに押圧するためのテンションを与える、テンションボルトとラグからなるテンション付与装置を備える。また、テンション付与装置により、ドラムヘッドをシェルに押圧する際にシェルが損傷しないように、シェルの円周に沿ってほぼ均一に強度を与える補強リングと、前記補強リングと前記シェルを接合するために、前記補強リングと前記シェルの間に介在させる補強手段を備える。そして、ドラムの構成要素であるシェル、ドラムヘッド、補強リングは、分解して個別に収納可能とすることを特徴とする。
【００１１】
また、本発明の折り畳み可能軽量ドラムセットは、バスドラム、フロアタム、スネアドラム、トムトム、シンバルを含む折り畳み可能軽量ドラムセットである。本発明のドラムセットを構成する複数のドラムうちの各ドラムは、木材または金属と比較して軽量なプラスチック段ボールを円筒状に加工配置したシェルと、シェルの少なくとも一方の開口に取り付けられて打面を構成するドラムヘッドと、ドラムヘッドをシェルに押圧するために用いられる、テンションボルトとラグからなるテンション付与装置と、このテンション付与装置により、ドラムヘッドをシェルに押圧する際にシェルが損傷しないように、シェルの円周に沿ってほぼ均一に強度を与える補強リングを備える。そして、これら複数のドラムの各ドラムの構成要素である、シェル、ドラムヘッド、補強リングは、分解して構成要素ごとに分けられて、ドラムセットの他の構成要素であるシンバルやシンバルスタンド及びイスとともに、複数のケースに収納されて人手で運搬可能としている。
【発明の効果】
【００１２】
本発明によれば、ドラムのシェルとしての使用に耐えうる強度を有するプラダンを用いて、軽量で折り畳み可能なドラムを提供できるので、複数のドラムから構成されるドラムセットでも折り畳んでケースに入れて持ち運びができるという効果がある。
【図面の簡単な説明】
【００１３】
【図１】本発明の実施の形態例のドラムの全体像を示す斜視図である。
【図２】本発明の実施の形態例のドラムな内部を示す斜視図である。
【図３】図１のＡ−Ａで切断したときの断面図である。
【図４】本発明の実施の形態例のドラムの構成部材を展開して示した図である。
【図５】本発明の実施の形態例のドラムのシェルの完成図（Ａ）とシェルを折り畳んだ図（Ｂ）である。
【図６】本発明の実施形態例のドラムセットを持ち運びできるように折り畳んだ時の図である。
【発明を実施するための形態】
【００１４】
以下、本発明を実施するための実施形態の例に係る軽量ドラムと軽量ドラムセットついて、図１から図６を参照して説明する。なお、各図面において、同一の機能または構成を有する構成要素については同一符号を付し、重複する説明は省略する。
【００１５】
＜本発明の実施形態例の全体構成の概要＞
図１は、本発明の実施形態例（以下、「本例」という）のドラムセットの中の代表的なドラムであるスネアドラム（サイドドラム）の全体構成を示す斜視図である。また、図２は、スネアドラムの内部構造を示す斜視図である。図３は、図１におけるＡ−Ａで切断したときの断面図を示している。
【００１６】
図１に示すように、本例のドラム１は、従来型ドラムの形状と同様に、円筒状のシェル２と、ドラムヘッド３と、フープ（リム）４と、テンションボルト５と、ボルト受け金具（舟形のラグ）６から構成される。
ドラムヘッド３は、シェル２の両端ないし片側の開口部に取り付ける振動膜であり、フープ４によってシェル２の端部に押し付けられて張力が与えられる。なお、張力は、テンションボルト５と舟形のラグ６からなるテンション付与装置（以下、「テンション」という）によって与えられる。
【００１７】
シェル２の一方の開口部には、振動膜が設けられないで、ドラムの種類によっては、開口部が形成された状態のまま、あるいは振動膜に穴を開けて用いられる場合がある。特にスネアドラムでは、片側に設けられたドラムヘッド３への衝撃を振動音に変換するスナッピー(響き線)９（図４参照）が設けられる。このスナッピー９の振動でドラムヘッド３の反対側の面に振動音が伝わり、この振動でスナッピー９が鳴って音を出すという仕組みである。なお、この裏側の面に設けられるスナッピー９の特性によって音の善し悪しに変化が出てくることになる。
【００１８】
＜シェルの材質＞
次に、図１〜３に示すシェル２の材質について説明する。ドラムの重要な構成要素であるシェル２は、両側からフープ４で押圧されるため、押圧される強度以上の耐性を持たせる必要がある。このため、従来のドラムではシェル２として、金属、木材またはアクリル樹脂等が用いられている。ドラムの重量が増え、価格が高くなる主な理由は、シェル２を構成する素材の重量及びその加工の難しさにある。つまり、金属や木材で作成されたシェル２は、ドラム本体の約５０％の重量を占めており、組立時間の多くをシェルの加工作業で占めている。このため、シェル２として金属、木材またはアクリル樹脂等を使用する限り、強度を必要とするシェル２の軽量化と低価格化を図ることは極めて困難であった。
【００１９】
そこで思い至ったのが、軽い中空材料でしかも安価なプラスチック段ボール（プラダン）である。プラダンは、軽量でかつ十分な剛性があり、そして加工性が容易な素材である点でシェル２として有効な素材であると考えたのである。具体的には、一般的なプラダンに比べて比較的強度が大きい、厚さ４．０ｍｍの「ポリカプラダン」を本例では採用することにした。
なお、プラダンの重量と従来のドラムのシェルとして使われている木材や金属等の重量を比較すると、プラダン製シェル「１」に対して、木材あるいは金属製（スチール製）のシェルは「２〜３」、アクリル製シェルでは「３〜４」程の違いがある。
【００２０】
プラダンは、多くの中空のリブを一方向に平行に備えている素材であり、その強度に関して大きな異方性を持つ。つまり、中空のリブ方向の強度は強く、リブに垂直方向の強度は弱い。このため、シェル２の材料強度の高くなる方向のプラダンのエッジをドラムヘッド３と垂直になるように配置した。なぜなら、シェル２がもっとも強度を必要とするのは、ドラムヘッド３に圧力を与えるエッジ部であるからである。
【００２１】
一方、シェル２は、円筒形状に構成する必要があるから、曲げ加工も必要である。幸いなことに、プラダンは、中空のリブが連なって構成されているため、リブ（節目）に沿って片側のみにカット加工を施すことにより、極めて簡単に曲げ加工が可能になる。しかし、ドラムの外側にカット加工を施すと、曲げ加工部に段差が生じるため外観上、好ましくない。したがって、曲げ加工のためにカットする側は、ドラムの内側とし、外側は平らな形状になるようにした。
【００２２】
＜ドラムの作成及び組み立て方法＞
次に、図４の展開図を参照して、ドラム１の組み立て方法について説明する。
［シェル２の作成手順］  
最初に、代表的なプラスチック段ボール（プラダン）であるポリカプラダンを用意する。ポリカプラダンはポリカーボネートで形成された中空の板であり、例えば１８２０ｍｍ×９１０ｍｍの板状に形成されて市販されている。
【００２３】
次に、用意したポリカプラダンをシェル２として加工する前に、まず、シェル２として必要となる長さから、上面と下面の両方に設けられる補強リング７（φ＝４ｍｍ）とエ型ジョイナー８の厚み(０．５ｍｍ)を併せた値、例えば９ｍｍ程度引いた長さに、ポリカプラダンをリブと垂直方向にカットする。なお、ドラムの口径（直径）が１２インチ（３０．４８ｃｍ）以上になると、その円周の長さは９１０ｍｍを超えるため、同じ幅のポリカプラダンを２枚用意する必要がある。
【００２４】
また、ポリカプラダンを強度が強いリブ方向と垂直にカットする場合には、カット断面が斜めにならないよう特に気を付ける必要がある。カット断面の全てにはエ型ジョイナー８が接着されるため、カット断面が斜めになると、シェル２が完成した状態でテンションをかけた場合に、シェル２に不均一な力が加わり、破壊してしまう可能性がある。したがって、シェル２を形成する際に、ポリカプラダンを強度が強いリブ方向と垂直にカットする部分については、カット断面が斜めにならないように特に気を付けてカットする。
【００２５】
次に、シェル２を完成させる前に、ポリカプラダンのリブに沿って、ラグ６、スナッピー９、エアホール１０、ホルダー１１等の金属パーツを固定するための穴を、樹脂用ドリルを用いて開ける。エアホール１０がないと、ドラム１を叩いたときの音がつまった音になる。また、ドラム１を叩くと、それによって振動するドラム１の内部の空気が反対側のドラムヘッド２に当たり、跳ね返ってくる。場合によっては、この跳ね返りの衝撃でドラムの演奏家の手足に障害を与えてしまうことがある。このような問題を避けるために、ドラム１のシェル２には、エアホール１０が設けられている。本例では、エアホール１には、その穴開け個所の見栄えを良くする意味で、ハトメを使用した。
【００２６】
続いて、板状のシェル２を円筒状に接着固定する。この際、接続強度を高める為、溶剤を使用することが好ましい。また、溶剤接着部には、目隠しテープ１５を外側のみ貼り付けるようにする。内側への貼り付けは、あまり見える箇所ではないので割愛した。図４のシェル２は、上述のようにシェル２を組み立てた完成図を示している。
【００２７】
次に、シェル２の中で、スナッピースイッチ１２の固定部、ホルダー１１の固定部、及びスナッピースイッチ１２の反対側に設けられるスナッピーを接続する固定部（不図示）は、比較的強度が必要な個所であり、これらの個所には竹串１３等の補強材をプラダンの中空部に挿入するようにしている。補強剤としての竹串１３は、シェル２の長さより短めになるようにする。竹串１３をシェル２の長さと同じか、あるいは長めにすると、シェル２に強いテンションをかけた時に（これを「ハイテンションチューニングにする」という）、プラダンで形成したシェル２が僅かにテンション方向に押しつぶされる恐れがある。このため、補強剤である竹串１３は、シェル２の長さよりも少し短め(−２〜３ｍｍ程)にカットするのが望ましい。竹串１３をシェル２の長さより短めに設定することにより、仮にハイテンションチューニングによりプラダンが潰れたとしても、竹串１３が設置された箇所で、エ型ジョイナー８が浮いて、ドラムの内側にめくれてしまうことを避けることができる。
【００２８】
次に、エ型ジョイナー８の接着部に不図示の両面テープを貼り付け、この両面テープを貼り付けたエ型ジョイナー８から、必要なサイズ、個数を切り出す。ここで、エ型ジョイナー８としては、シェル２の曲げ幅に合わせて、短いエ型ジョイナー８ａと比較的長いエ型ジョイナー８ｂが設けられる。そして、作成したシェル２の両側に、カットしたエ型ジョイナー８ａ、８ｂを接着する。なお、エ型ジョイナー８ａ、８ｂをシェル２に接着する場合、両面テープの他に、溶剤や接着剤を用いることも可能である。最後に、事前に開けた穴に、ボルト受け金具（ラグ）６、スナッピースイッチ１２、スナッピースイッチ１２の反対側に設けられるスナッピーを接続する固定部（不図示）、ホルダー１１をねじで取り付ける。
【００２９】
［補強リングの作成手順］
次に、シェル２の両側に配置する補強リング７の作成手順について説明する。まず、補強リング７の芯材となるピアノ線(φ＝1.6 ｍｍ)を口径に合わせた長さに２本カットする。また、網戸の押さえゴム（φ＝4.5 ｍｍ）をピアノ線の長さに合わせてカットする。ここで、カットしたピアノ線(φ＝1.6 ｍｍ)に潤滑油を塗布し、同じくカットした網戸押さえゴムの中に詰め込む。この際、ピアノ線の両端は、網戸押さえゴムから８〜１０ｍｍ程度はみ出させるようにする。
【００３０】
このはみ出したピアノ線（芯材）をリング状にして、スプリングピン(φ＝４ｍｍ、L＝16 ｍｍ or 20 ｍｍ)で仮止めし、スプリングピンをかしめ、ピアノ線が抜けないように固定する。これにより、補強リング７が完成する。
【００３１】
［フープ（リム）４の作成手順］
次に、フープ４の作成手順について説明する。フープ４は、テンションボルト５とともに、各ドラムの径に応じて複数種類の径のものが市販されている。フープ４は、通常ステンレス製の金属で形成されており、テンションボルト５を挿入するための穴がテンションボルト５の数だけ開けられている。
本例では、ドラム１を分解して運搬可能とするため、フープ４とシェル２を分離することが多くなり、分離したときに、フープ４からテンションボルト５が外れてしまうことが起こる。このため、発明者は、テンションボルト５がフープ４に設けられた穴から抜けないようにするための方策を考案した。
【００３２】
まず、テンションボルト６の外径に相当する内径５．５ｍｍ程度の塩化ビニール製のチューブ１４（以下、「塩ビチューブ１４」という）を用意し、この塩ビチューブ１４を、必要なテンションボルト５の数だけ５ｍｍ程度の長さにカットする。そして、フープ４に入れたテンションボルト５のネジ部に、この塩化ビニール製のチューブ１４を差し込む。これにより、フープ４とシェル２を分離しても、テンションボルト５がフープ４から抜けることなく、テンションボルト５をフープ４から離れない状態に保持することができる。
【００３３】
［最終的な組立工程の手順］
まず、エ型ジョイナー８がエッジに取り付けられたシェル２をほぼ真円形状にし、このエ型ジョイナー８に補強リング７を嵌め込む。この嵌め込みは、先ずは片側のみ行う。そして、補強リング７をエ型ジョイナー８に嵌め込んだ側に、フープ４を用いてドラムヘッド３を取り付ける。
【００３４】
次に、フープ４に取り付けられたテンションボルト５を軽く締める。このとき、反対側に補強リング７のない状態で片側を強く締めてしまうと、反対側は真円形状から大きく歪み、補強リング７が取り付けられなくなる恐れがあるので、片方の側のテンションボルト５は緩く締めるようにする。
なお、本例では補強リング７とシェル８を接合する結合手段として、エ型ジョイナー８を用いているが、エ型ジョイナー８以外にも、板状の部材をシェルの両側（内側と外側）から挟むような構成にした結合手段を設けることもできる。
【００３５】
更に、ドラムヘッド２の反対面も同様に、補強リング７、ドラムヘッド３、フープ４の順に取り付け、テンションボルト５を軽く締める。なお、スネアドラムでは、スネアサイド側にスナッピー９を取り付けるようにする。以上の取り付けが完了した後に、テンションボルト５を締めて好みのチューニングを施すことにより、製品としてのドラムが完成する。
【００３６】
＜ドラムセットの構成及び運搬方法＞
プラダンを用いてシェル２を作成したことにより、ドラム１自体の軽量化は達成できたが、完成品としてのドラム及び複数のドラムから構成されるドラムセットを運搬することは困難である。既に説明したように、ドラムセットには、バスドラム、フロアタム、スネアドラム、トムトムなど多くのドラムが含まれるため、一般的なドラムセットを一人の人間が人力で長距離運搬することはほぼ不可能である。
【００３７】
図５は、補強リング７を入れて完成した円筒形のシェル２（Ａ）と、補強リング７を外して楕円形になったシェル２（Ｂ）を示したものである。
本例のドラム及びドラムセットでは、シェル２として、プラダンを使用しているため、シェル２に曲げ加工を多く施すことにより、ドラムヘッド３を取り付けない状態であれば、図５（Ａ）に示すシェル２の補強リング７を取り外すことで、図５（Ｂ）に示すようにシェル２を折り畳むことが可能になる。これにより、図６で後述するように、シェル２の収納がしやすくなり、簡単に持ち運びができるようになる。
【００３８】
本例の場合、シェル２の８カ所に、テンションボルト５及び舟形のラグ６からなるテンションを設けており、このテンションの数の４倍に当たる３２カ所に曲げ加工を施している。このため、折り畳んだシェル２は、図５（Ｂ）に示すように、平たく細長い楕円形状になる。また、ドラムセットを構成するドラムの直径は、その種類によって異なるため、小さい直径のシェルの外側にそれより直径の大きいシェルを配置することで、図６にシェル２ａ〜２ｄとして示すように、複数のドラムのシェル２ａ〜２ｄを極めてコンパクトに収納することが可能となる。
【００３９】
図６は、カホンケースと呼ばれるケース１６ａとスネアケースと呼ばれるケース１６ｂが示されている。また、この２つのケース１６ａ、１６ｂ内に収納する、ドラムセットを構成する各ドラムの複数のシェル２ａ〜２ｄ、及び複数のフープ４ａ〜４ｄが示されている。左側の大きなカホンケース１６ａには、図６に示す折り畳んだシェル２ａ〜２ｄの他にも、不図示の各種スタンド全て(ハイハットスタンド、２個のシンバルスタンド、イスのスタンド部)、バスドラムペダル、バスドラムリフター、２個のバスドラムレッグ、３個のフロアタムレッグ、２個のタムマウントホルダーが収納される。
【００４０】
また、右側の丸いスネアケース１６ｂには、図６に示す複数のフープ４ａ〜４ｄが上下２組で収納される他、ドラムヘッド３の全て、補強リング７の全て、スナッピー９、不図示のシンバル全て、不図示のイスの座面などが収納されることになる。
【００４１】
本例のドラムセットを上述のように２つのケース１６ａ、１６ｂに収納すると、総重量は概ね１１．４ｋｇ〜１２．８ｋｇ程度になり、極めて軽量になる。また、シンバルやスタンドを加えたとしても、総重量を２０ｋｇ以下に抑えることが可能であり、大人であれば、一人で運搬できる程度の重量となる。
【００４２】
以上、本発明を実施する実施形態例について説明したが、本発明は、本明細書で説明した実施例に限定されるものではなく、特許請求の範囲に記載された本発明の要旨を逸脱しない限りにおいて、種々の応用例及び変形例を含むことは勿論である。
【符号の説明】
【００４３】
１・・・ドラム、２、２ａ〜２ｄ・・・シェル、３・・・ドラムヘッド、４、４ａ〜４ｄ・・・フープ（リム）、５・・・テンションボルト、６・・・ラグ（舟形）、７・・・補強リング、８、８ａ、８ｂ・・・エ型ジョイナー、９・・・スナッピー、１０・・・エアホール、１１・・・ホルダー、１２・・・スナッピースイッチ、１３・・・竹串、１４・・・塩ビチューブ、１５・・・目隠しテープ、１６ａ・・・カホンケース、１６ｂ・・・スネアケース
【図１】
2018017842.tif 000003
【図２】
2018017842.tif 000004
【図３】
2018017842.tif 000005
【図４】
2018017842.tif 000006
【図５】
2018017842.tif 000007
【図６】
2018017842.tif 000008